(57)【要約】  非侵襲的に涙液メニスカスの涙液の状態や涙液量を評価する方法、コンピュータプログラム、装置の提供。  被検者の涙液メニスカスの少なくとも一部を撮影した涙液メニスカス画像について、所定の閾値により前記涙液メニスカス画像を二値化する二値化ステップと、二値化した二値化画像から涙液メニスカス部分を示す高輝度領域を抽出する抽出ステップと、前記高輝度領域に基づき涙液状態を評価のする評価ステップと、を含む。
2019031424.tif 000002
【特許請求の範囲】
【請求項１】
被検者の涙液メニスカスの少なくとも一部を撮影した涙液メニスカス画像について、
所定の閾値により前記涙液メニスカス画像を二値化する二値化ステップと、
二値化した二値化画像から涙液メニスカス部分を示す高輝度領域を抽出する抽出ステップと、
前記高輝度領域に基づき涙液状態を評価のする評価ステップと、
を含む涙液状態評価方法。
【請求項２】
前記涙液メニスカス画像がカラー画像の場合、
前記涙液メニスカス画像について輝度画像を作成するステップを含み、
前記二値化ステップとは、前記輝度画像を所定の閾値により二値化するステップである、
ことを特徴とする請求項１に記載の涙液状態評価方法。
【請求項３】
前記二値化ステップとは、異なる２つの値の閾値に基づきそれぞれ二値化するステップであり、
前記抽出ステップとは、低閾値に基づく第１二値化画像と高閾値に基づく第２二値化画像における高輝度領域から、前記第１二値化画像の高輝度領域に対応する領域であってこれと連続する高輝度領域を抽出するステップである、
ことを特徴とする請求項１又は２に記載の涙液状態評価方法。
【請求項４】
前記二値化ステップとは、所定の閾値とプロファイル形状に基づきそれぞれ二値化するステップであり、
前記抽出ステップとは、前記プロファイルのピーク部分を含んだ範囲で前記所定の閾値以上となる範囲を高輝度領域として抽出するステップである、
ことを特徴とする請求項１又は２に記載の涙液状態評価方法。
【請求項５】
前記評価ステップとは、抽出された前記高輝度領域の幅の大きさに基づき涙液メニスカスの涙液量の多少を評価するステップである、
ことを特徴とする請求項１乃至４のいずれか１項に記載の涙液状態評価方法。
【請求項６】
コンピュータに、請求項１乃至５のいずれか１項に記載の各ステップを実行させるためのコンピュータプログラム。
【請求項７】
請求項１乃至５のいずれか一項に記載の方法を実行する涙液状態評価装置。
【発明の詳細な説明】
【技術分野】
【０００１】
本発明は、特に涙液メニスカスについての画像を解析し、涙液の状態、涙液量について評価する方法、コンピュータプログラム、装置に関する。
【背景技術】
【０００２】
眼球、ならびに、瞼は、涙液によって異物の侵入、乾燥、摩擦による損傷などから保護されている。涙液層はその大半を占める水と糖たんぱく質（ムチン）からなる液層とそれを覆う油層の二層によって涙液層をなし、油層は液層が直接空気に触れることを防ぐことにより液層の蒸発を防いでいる。油層の成分はまぶたに存在するマイボーム腺から分泌される。加齢や炎症、ならびに、擦傷などによりマイボーム腺が損傷すると正常な油層の形成が起こらなくなって液層が保持できなくなることなどを理由にドライアイといわれる症状を引き起こす。【０００３】
ドライアイか否かの判断の手法としては、従来から「シルマーテスト」及び「ＢＵＴ（Ｂｒｅａｋｕｐ  ｔｉｍｅ）テスト」が知られている。この「シルマーテスト」とは、目盛がついた濾紙を結膜と下瞼の間に５分間挟んだままにした状態を維持し、５分経過後における濾紙に吸収された涙液量を定量する方法である。【０００４】
一方、「ＢＵＴテスト」は、非特許文献１に示すように、涙液層の液層に融解するフルオレセイン等の蛍光色素を点眼し、励起光で蛍光を励起し、開瞼から涙液の液層の崩壊が起こるまでの時間をストップウォッチ等で計測するものである。【０００５】
さらに、涙液メニスカスに存在する涙液量は、ドライアイ診断における重要な指標として認識されてきている。涙液メニスカスは涙三角ともよばれ、図１に示す下瞼と角膜との間に位置する側面視溝状部分に貯留する涙液による部分である。当該涙液メニスカスの涙液量を測定することで、ドライアイ等に関する病理診断における指標とするものである。【０００６】
この涙液メニスカスの涙液量の測定に関しては、従来から各種手段が提案されている。例えば特許文献１に示すように、細長で、スリットが形成された合成樹脂又は合成ゴムから成る本体部と、そのスリット内に配置される吸水性部材を配置したものであり、当該検査用具の先端部を被検者の下瞼に接触させることで、吸水性部材に浸透する涙液メニスカスの涙液量を測定するものが知られている。【０００７】
また、特許文献２には、涙液メニスカスの涙液量の物理量を定量的に測定し、ドライアイの病態の診断に利用するための眼科測定装置が提案されている。すなわち、複数のスリット状開口を形成した格子と、当該開口を下瞼に溜まる涙液表面に投影する手段と、その投影された前記開口の像を撮像する手段と、撮像された前記開口の像に基づいて涙液の物理量演算をする手段と備え、当該涙液表面に投影される中央部の格子像と周辺の格子像とでその向きを格子開口の直交する直線が一点に集まるように変化させる眼科測定装置である。
【先行技術文献】
【特許文献】
【０００８】
【特許文献１】特許第５１３８９６７号公報
【特許文献２】特許第３８９６２１１号公報
【非特許文献】
【０００９】
【非特許文献１】「ドライアイ診療ＰＰＰ（４１項乃至４５項）」（第１版第１刷発行：２００２年５月１日、編集：ドライアイ研究会、発行者：中尾俊治、発行所：株式会社メジカルビュー社）
【発明の概要】
【発明が解決しようとする課題】
【００１０】
しかしながら、上述の「シルマーテスト」や「ＢＵＴテスト」は、基本的に、濾紙等の侵入若しくは蛍光色素の点眼を必要とするものである侵襲的手法であるため、被検者に痛みや不快感を与える可能性が高い。同様に、特許文献１に係る検査用具も、その使用方法は、先端を被検者の涙液メニスカスに接触させるものであり、侵襲的な手段及び方法である。【００１１】
また、特許文献２に示される手段では、涙液メニスカスに対する格子像の投影するための格子等の部材が必要となりコスト高につながる。また、涙液メニスカスに格子像を投影する際に、涙液メニスカスは下瞼と角膜との間であるため目尻にかけて弓形に角度が変わるため、それにあわせて格子の角度も変える必要があるなど、手間であった。【００１２】
本発明は以上のような従来の問題点に鑑みてなされたものであり、被検者に痛みや不快感を与えることない、非侵襲的に涙液メニスカスの涙液の状態や涙液量を評価するものである。
【課題を解決するための手段】
【００１３】
本発明に係る涙液状態評価方法、コンピュータプログラム、装置は、以下に示すステップおよび手段を含むものである。
（１）被検者の涙液メニスカスの少なくとも一部を撮影した涙液メニスカス画像について、所定の閾値により前記涙液メニスカス画像を二値化する二値化ステップと、二値化した前記メニスカス画像から涙液メニスカス部分を示す高輝度領域を抽出する抽出ステップと、前記高輝度領域に基づき涙液状態を評価のする評価ステップとを含む。
（２）上記（１）において、前記涙液メニスカス画像がカラー画像の場合、前記涙液メニスカス画像について輝度画像を作成するステップを含み、前記二値化ステップとは、前記輝度画像を所定の閾値により二値化するステップであることを特徴とする。
（３）上記（１）又は（２）のいずれかにおいて、前記二値化ステップとは、異なる２つの値の閾値に基づきそれぞれ二値化するステップであり、前記抽出ステップとは、低閾値に基づく第１二値化画像と高閾値に基づく第２二値化画像における高輝度領域から、前記第１二値化画像の高輝度領域に対応する領域であって連続する高輝度領域を抽出するステップであることを特徴とする。
（４）上記（１）又は（２）において、前記二値化ステップとは、所定の閾値とプロファイル形状に基づきそれぞれ二値化するステップであり、前記抽出ステップとは、前記プロファイルのピーク部分を含んだ範囲で前記所定閾値以上となる範囲を高輝度領域として抽出するステップであることを特徴とする。
（５）上記（１）乃至（４）のいずれかにおいて、前記評価ステップとは、抽出された前記高輝度領域の幅の大きさに基づき涙液メニスカスの涙液量の多少を評価するステップであることを特徴とする。
【発明の効果】
【００１４】
本発明は、角膜撮影画像の解析により涙液メニスカスの涙液を評価するものであるため、被検者に目に対して濾紙の侵入、蛍光色素および検査器具を侵入させる必要がない。そのため、非侵襲的に涙液メニスカスの涙液に関して評価できるものであり、被検者に苦痛や不快感を与えることがない。また、使用する装置は、専用部品等を必要とせず、また、複雑な構成にする必要がなく、簡易な構成で済む。
【図面の簡単な説明】
【００１５】
【図１】ヒトの目の正面および側面の模式図であって涙液メニスカスの説明図である。
【図２】涙液メニスカスの撮影の様子、および、位置による受光輝度の傾向を示す図である。
【図３】図中、画像１は輝度画像の一例を示し、画像２は二値化後の画像の一例を示し、画像３は涙液メニスカスの涙液貯留部を示す高輝度領域を抽出した画像の一例を示す図である。
【図４】本発明に係る実施例２の処理およびその流れの一例を示す図である。
【図５】画像取得装置の構成の概略図である。
【発明を実施するための形態】
【実施例１】
【００１６】
＜涙液メニスカス画像の取得＞
被検者の涙液メニスカスを撮影し画像を取得するための装置（画像取得装置）については、撮影した画像をデジタルデータとして記録できるものであればよく、従来既知のものを適宜用いればよい。例えば、図５に概略を示すように、画像取得装置は、光源１１から発せられ、絞りを通過した光線は、順にレンズ１２、スプリッタ１３、対物レンズ１４を経て、被検者の被検眼の前眼部の涙液メニスカス１５に集光される。前眼部の涙液メニスカス１５からの反射光は、対物レンズ１４およびスプリッタ１３を通過し、結像レンズ１６を経て撮像素子１７上に結像される。撮像素子１７に結像された撮影データは、画像処理エンジンによる所定の処理が施され、画像データ、動画像データに変換される。【００１７】
画像取得装置は、本発明に係る涙液評価装置と物理的又は論理的に接続される。当該涙液評価装置は、データを演算および処理する処理手段、画像取得装置により取得された画像データ、動画像データおよびその他のデータを記憶する記憶手段を備えるものであり、当該記憶手段には、本発明を実施するためのコンピュータプログラムや所定のデータがそれぞれ記憶されており、処理手段は、当該コンピュータプログラム等による所定の命令に従ってデータの処理を行うものである。【００１８】
図２は、当該画像取得装置によって取得される涙液メニスカス画像の取得の様子およびその位置関係における受光輝度の傾向を示す図である。涙液メニスカスを焦点に涙液メニスカス画像を撮影した場合、涙液メニスカスの涙液表面により光が正反射される結果、涙液メニスカス画像においても当該涙液貯留部分については高い輝度が取得される。【００１９】
一方、涙液メニスカス近傍の上方の角膜部分や下方の下瞼は、涙液メニスカスから画像取得装置側に向かってせり上がるような形状をとるため、その部分の光の反射光強度は低くなる。そのため、涙液メニスカス画像における該当箇所は輝度が低い暗部として取得される。他の角膜や下瞼部分については、その部分の曲率による反射光強度に従い輝度が得られる。【００２０】
このようにして得られた、涙液メニスカス画像について対する処理について以下説明する。【００２１】
＜輝度画像＞
涙液メニスカス画像がカラー画像で取得されている場合、これをグレースケール画像へ変換し、涙液メニスカス画像の輝度画像を取得する処理である。変換後のグレースケール画像の各画素の輝度を決定する手法としては、従来既知の手法を適宜用いればよいが、例えば、以下のような手法がある。【００２２】
まず、「（ａ）涙液メニスカス画像の各画素のＲ，Ｇ，Ｂ（赤，緑，青）の３色要素のうち、いずれかの輝度をグレースケール画像の対応画素の輝度として用いる方法」がある。また、「（ｂ）Ｒ，Ｇ，Ｂの色要素の輝度の最大値を用いる方法」、「（ｃ）Ｒ，Ｇ，Ｂの色要素の輝度の最小値を用いる方法」、「（ｄ）少なくとも２つ以上の色要素の輝度の平均を用いる方法」、「（ｅ）３色要素の輝度の中央値を用いる方法」、その他、「（ｆ）２つ以上の色要素の輝度について加減乗除いずれかを施し算出される値を用いる方法」、などがある。【００２３】
グレースケール画像の各画素の輝度を決定するにあたっては、これらの方法を適宜用いることができるが、上述した方法のうち、特に、「（２）Ｒ，Ｇ，Ｂの色要素の輝度の最大値を用いる方法」が好適である。【００２４】
Ｒ，Ｇ，Ｂの色要素の輝度の最大値を用いる方法が好適であるのは、通常、角膜上の涙液を撮影した画像は、涙液による干渉縞が表われているため、画像の部分によって色の強度のバラつきが大きい。そのため、たとえば、Ｒ，Ｇ，Ｂ（赤，緑，青）の３色要素のうち、赤（Ｒ）の輝度をグレースケール画像の対応画素の輝度として用いる方法だと、他の緑（Ｇ）や青（Ｂ）が高強度を示している本来鮮やかな部分であっても赤（Ｒ）の輝度が低いため、グレースケール画像においては暗部として変換されてしまう、等といった不都合が生ずるため、こうした不都合を防止するためである。【００２５】
このようにして得られた輝度画像の一例を図３の「画像（１）」として示す。【００２６】
なお、前述の輝度画像の作成に関する処理は、画像取得装置により撮影、記録された涙液メニスカス画像がカラーの場合に行う処理であり、画像取得装置により取得される涙液メニスカス画像がもともとグレースケール画像のように各画素における輝度が一に定まっている画像については不要である。【００２７】
＜二値化＞
前述の輝度画像に対し所定の閾値と輝度画像の画素との比較により二値化し二値化画像を得る。例えば、前述のとおり得た輝度画像における各画素について、所定の閾値以上の輝度を持つ画素（高輝度画素）と、当該閾値より小さい輝度の画素（低輝度画素）として、判別すればよい。【００２８】
この二値化処理により、涙液メニスカス画像は、高輝度画素と低輝度画素の二種類に分類される。見た目に分かり易いように、高輝度画素を白色、低輝度画素を黒色といったように、着色により分けてもよい。【００２９】
二値化により高輝度画素と低輝度画素とに分けられるため、このように着色と共に分類すれば、輝度画像は完全に二色で表現される。この場合、白色を示す画素は、反射光強度が高く高輝度を示す部分、すなわち、涙液メニスカスを含む部分が抽出されていることを意味する。【００３０】
ここで、二値化に用いる閾値は、所定の固定値を用いてもよいが、輝度画像は個々に照明の状況や合焦の状況によって異なるため、動的な値として最適な二値化が行えるように設定するのが好適である。【００３１】
動的な閾値の算出の手法については、例えば、閾値は、輝度画像中の全画素の輝度平均値や中央値としてもよいし、最大および最小の輝度の中間値などすることができるが、これらに限定されることなく、既知の他の手法を適宜用いることができる。【００３２】
このようにして得られた二値化処理後の画像の一例を図３「画像（２）」に示す。【００３３】
＜涙液メニスカス部分抽出＞
二値化後の画像における涙液メニスカス部分の抽出について以下説明する。第１の方法として、涙液メニスカス部分は、一般的には、その形状のとおり線状に表れる。例えば、図２の画像２に示すような二値化後の画像によれば、白色で表現される高輝度画素の領域（高輝度領域）として、涙液メニスカス部分にあたる線状部分と、その上方および下方部分に点在した領域とが存在する。この上下に存在する高輝度領域は、涙液メニスカス部分ではないため、当該部分を除去する。【００３４】
こうして得られる画像が、涙液メニスカス部分の抽出画像であり、当該抽出画像の一例を図３「画像（３）」に示す。【００３５】
なお、本発明における二値化方法および涙液メニスカス部分の抽出方法は上述の方法に限定されるものではなく様々な方法が利用可能である。例えば図２の右部に示すように撮影した反射光輝度、すなわち画像の輝度のプロファイルにおいて、当該プロファイル形状と所定の閾値（図２右部プロファイルにおける「◎」印）により該当領域と非該当領域の２つに分けるという二値化処理を行い、該当領域（図２右部プロファイルにおける「▼」と「▲」の間）を涙液が存在するメニスカス部分として抽出する方法である。このとき、所定閾値は、図２右部のプロファイルに示すような輝線の外側の上下の部分に連結せず、且つ、メニスカスの高さが最大になるような閾値（動的閾値）とすればよい。あるいは、画像によって明るさが異なるので、画像の輝度を最大値と最小値で規格化し、固有の閾値（固定閾値）を用いてもよい。あるいは、画像の輝度を規格化せず、画像の輝度から動的閾値を設定してもよい。さらには、輝線の外側の上側と下側で異なる固定閾値、あるいは、動的閾値を設定しても良い。このようにして、輝線部分と、その上下にある若干明るい部分までが涙液が存在するメニスカス部分として、抽出することができる。【００３６】
＜涙液メニスカス部分抽出画像に対する評価＞
前述のとおり得られた涙液メニスカス部分抽出画像には、涙液メニスカス部分を示す線状の高輝度領域が表れているが、当該線状高輝度領域の幅の大きさにより涙液量の多少を判断することができる。通常、この高輝度領域の幅が大きくなる程、実際の涙液量は多いと判断でき、一方で、幅が狭いほど涙液量は少ないと判断できる。【００３７】
この高輝度領域の幅の大きさは、具体的には、画像の垂直方向における当該高輝度領域の画素数から算出できる。高輝度領域の部分によって大きさの大小があるが、どの部分の幅の大きさを評価の対象とするかは適宜自由に決定できる。【００３８】
また、涙液メニスカス部分を示す高輝度領域の幅の大きさと、涙液メニスカスの涙液量との相関を示すデータの蓄積により、その相関データを参照することで、高輝度領域の幅から涙液メニスカスの涙液量を推定的に算出することが可能となる。【００３９】
また、線状に表れる高輝度領域に途切れや間隙がある場合、その付近の涙液の状態が悪いと判断することができる。
【実施例２】
【００４０】
実施例１において説明した二値化および涙液メニスカス部分抽出の処理について、他の方法について以下説明する。特に、二値化後の画像において、自動で涙液メニスカス部分の抽出を行う方法についてである。なお、以下特に言及しない処理については、実施例１と同様である。【００４１】
本実施例では、実施例１と同様にして得られた輝度画像について、二値化を行うにあたり、閾値として異なる２値を設定し、それぞれの閾値について二値化の処理を施し二値化画像を得るようにする。【００４２】
図４に示すように、輝度画像に対して、閾値１（図４に示す例では、「６０」）により二値化処理を行い、第１二値化画像を取得する。同様に、輝度画像に対して、閾値２（図３に示す例では、「１８０」）により二値化処理を行い、第２二値化画像を得る。こうして得られた第１および第２二値化画像における高輝度領域の重複領域から涙液メニスカス部分を判断する。【００４３】
輝度画像に対して、異なる２値の閾値により２の二値化画像を得る場合、高閾値（前述の例では、閾値２）による二値化画像（第２二値化画像）が示す高輝度領域は、低閾値（前述の例では、閾値１）による二値化画像（第１二値化画像）における高輝度領域に必ず含まれることとなる。【００４４】
このため、第２二値化画像の高輝度領域を含み、かつ、これと連続する第１二値化画像の高輝度領域を抽出することにより、涙液メニスカス部分を自動検出することができる。第２二値化画像の高輝度領域を包含する第１二値化画像の高輝度領域の抽出は、たとえば、第１二値化画像の高輝度領域を示す画素に対応する第２二値化画像における画素を特定し、この特定された画素と連続する高輝度領域を第２二値化画像について抽出するようにすればよい。【００４５】
なお、本実施例２における異なる２つの閾値については、実施例１と同様に、所定の固定値としてもよいし、動的に算出決定するようにしてもよい。動的に決定する方法として、前述の他、輝度画像中の画素の輝度の最大値から所定の値を除算した値、もしくは、その最大値に対する所定の割合を差し引くことにより得られる値（例えば、最大値の８０％として算出される値。）にしてもよい。逆に、低閾値は、輝度画像中の画素の輝度の最小値から所定の値を加算した値、もしくは、当該最小値から所定の割合を増加させることで得られた値（例えば、最小値の１２０％として算出される値）とするなどしてもよい。【００４６】
以上本発明について説明してきたが、本発明は上述の実施の例に限定されず種々の変形した形での応用が可能なものである。【００４７】
これまでに説明のとおり、輝度画像の作成にあたっては画素の輝度（あるいは明度）を利用するのが好適であるが、これに限らず、彩度等を利用してもよい。また、前述の各種数値の算出については、前述の説明のとおりの算出方法に限定しなくてもよく、より適した値を算出するため、既知の手法による演算を適宜施した値を用いることが出来る。
【産業上の利用可能性】
【００４８】
本発明は、非侵襲的に涙液メニスカスの状態、特に、涙液メニスカスの涙液量の多少を確認でき、また、最終的に抽出される涙液貯留部にあたる高輝度領域の幅と実際の涙液量との相関データの蓄積を待つことで、実際に侵襲的に涙液量を測定することなく、涙液メニスカスの涙液量が推量することが可能となる。その結果、非侵襲的なドライアイその他の診断等に資するものとなる。
【図１】
2019031424.tif 000003
【図２】
2019031424.tif 000004
【図３】
2019031424.tif 000005
【図４】
2019031424.tif 000006
【図５】
2019031424.tif 000007
【国際調査報告】
2019031424.tif 000008
2019031424.tif 000009
2019031424.tif 000010